(57)【要約】【課題】軽く、嵩張らず、様々な用途に使用可能な汎用性のある照明装置を提供する。【解決手段】ベースと、前記ベースの長さ方向に取り付けられている複数の発光装置と、を備えた照明装置であって、前記ベースは、可撓性を有する帯状の部材であって、螺旋の内側に位置する長さ方向の一端または螺旋の外側に位置する長さ方向の他端を支点にして螺旋状に吊り下げられる照明装置である。【選択図】図１
2015069947.tif 000002
【特許請求の範囲】
【請求項１】
ベースと、前記ベースの長さ方向に取り付けられている複数の発光装置と、を備えた照明装置であって、  
前記ベースは、可撓性を有する帯状の部材であって、螺旋の内側に位置する長さ方向の一端または螺旋の外側に位置する長さ方向の他端を支点にして螺旋状に吊り下げられることを特徴とする照明装置。
【請求項２】
前記複数の発光装置は、可撓性を有する帯状の基板を用いて前記ベースに取り付けられており、前記基板の長さ方向に実装されている、ことを特徴とする請求項１に記載の照明装置。
【請求項３】
前記ベースは、螺旋の内側に位置する長さ方向の一端を支点にして螺旋状に吊り下げられることを特徴とする請求項１または２に記載の照明装置。
【請求項４】
前記ベースの吊り下げ時に、前記複数の発光装置の上下方向における間隔が均等になることを特徴とする請求項１から３のいずれか１項に記載の照明装置。
【請求項５】
前記ベースは、長さ方向に壁を有していることを特徴とする請求項１から４のいずれか１項に記載の照明装置。
【請求項６】
前記ベースは、長さ方向に複数の開口を有していることを特徴とする請求項１から５のいずれか１項に記載の照明装置。
【請求項７】
前記ベースは、不使用時には螺旋状に巻き取られることを特徴とする請求項１から６のいずれか１項に記載の照明装置。
【請求項８】
前記ベースは、不使用時には螺旋の内側に位置する長さ方向の一端を内側にして巻き取られることを特徴とする請求項７に記載の照明装置。
【請求項９】
前記ベースは、長さ方向に発光装置の上面よりも高い壁を有していることを特徴とする請求項７または８に記載の照明装置。
【発明の詳細な説明】
【技術分野】
【０００１】
本発明は、照明装置に関する。
【背景技術】
【０００２】
従来、複数のＬＥＤを長手方向に沿って直列に実装したフレキシブルプリント基板（ＦＰＣ）を、基体の曲面状の取付部に螺旋状に巻き付ける照明装置（特許文献１参照）とテーパ状のケース内面の段差部に螺旋状に固定する照明装置（特許文献２参照）とが提案された。
【先行技術文献】
【特許文献】
【０００３】
【特許文献１】特開２００９−３７７９５号公報
【特許文献２】特開２００２−１８４２０９号公報
【発明の概要】
【発明が解決しようとする課題】
【０００４】
しかしながら、従来の照明装置は、重い、嵩張る、照明装置を様々な用途に用いるにあたり基体やケースをその都度変更しなければならず汎用性に欠けるという問題があった。
【０００５】
そこで、本発明は、軽く、嵩張らず、様々な用途に使用可能な汎用性のある照明装置を提供することを目的とする。
【課題を解決するための手段】
【０００６】
本発明によれば、上記課題は、次の手段により解決される。すなわち、本発明は、ベースと、前記ベースの長さ方向に取り付けられている複数の発光装置と、を備えた照明装置であって、前記ベースは、可撓性を有する帯状の部材であって、螺旋の内側に位置する長さ方向の一端または螺旋の外側に位置する長さ方向の他端を支点にして螺旋状に吊り下げられることを特徴とする照明装置である。
【発明の効果】
【０００７】
本発明によれば、軽く、嵩張らず、様々な用途に使用可能な汎用性のある照明装置を提供することができるため、屋内はもちろんのこと、飲食店の軒先や道路における工事現場などの屋外でも手軽に照明装置を使用することが可能になる。
【図面の簡単な説明】
【０００８】
【図１】本発明の実施形態１に係る照明装置の模式的斜視図であり、（ａ）は使用時の状態を示し、（ｂ）は不使用時の状態を示している。
【図２】本発明の実施形態２に係る照明装置の模式的斜視図であり、（ａ）は使用時の状態を示し、（ｂ）は不使用時の状態を示している。
【図３】本発明の実施形態３に係る照明装置の模式的斜視図であり、（ａ）は使用時の状態を示し、（ｂ）は不使用時の状態を示している。
【図４】本発明の実施形態４に係る照明装置の模式的斜視図であり、（ａ）は使用時の状態を示し、（ｂ）は不使用時の状態を示している。
【図５】本発明の実施形態５に係る照明装置の模式的斜視図であり、（ａ）は使用時の状態を示し、（ｂ）は不使用時の状態を示している。
【図６】本発明の実施形態６に係る照明装置の模式的斜視図であり、（ａ）は使用時の状態を示し、（ｂ）は不使用時の状態を示している。
【図７】本発明の実施例１に係る提灯を示す模式的正面図であり、（ａ）は使用時の状態を示し、（ｂ）は不使用時の状態を示している。
【発明を実施するための形態】
【０００９】
以下に、添付した図面を参照しつつ、本発明を実施するための形態について説明する。
【００１０】
［本発明の実施形態１に係る照明装置］
図１は、本発明の実施形態１に係る照明装置の模式的斜視図であり、（ａ）は使用時の状態を示し、（ｂ）は不使用時の状態を示している。
【００１１】
図１に示すように、本発明の実施形態１に係る照明装置は、ベース３０と、ベース３０の長さ方向に取り付けられている複数の発光装置２０と、を備えた照明装置であって、ベース３０は、可撓性を有する帯状の部材であって、螺旋の内側に位置する長さ方向の一端または螺旋の外側に位置する長さ方向の他端を支点にして螺旋状に吊り下げられる照明装置である。なお、図１では、ベース３０が、螺旋の内側に位置する長さ方向の一端３２を支点にして螺旋状に吊り下げられる場合の一例を示している。
【００１２】
以下、順に説明する。
【００１３】
（発光装置２０）
複数の発光装置２０は、ベース３０の長さ方向に取り付けられている。複数の発光装置２０が取り付けられるベース３０に沿った間隔（ピッチ）Ｘは、均等であってもよいし、不均等であってもよい。ただし、均等である場合は、周囲を均等に照らすことができる。ベース３０に沿った間隔（ピッチ）Ｘは、特に限定されるものではないが、一例としては、９．２ｍｍなどを挙げることができる。
【００１４】
発光装置２０には、発光ダイオードや発光ダイオードチップなどを用いることができる。なお、発光ダイオードはパッケージングされており、発光ダイオードチップはパッケージングされていない。
【００１５】
複数の発光装置２０は、ベース３０に直接取り付けられていてもよいが、基板１０を用いてベース３０に取り付けられていてもよい。この場合、複数の発光装置２０は、基板１０の長さ方向に実装される。
【００１６】
基板１０には、可撓性を有する部材を用いる。可撓性を有する部材の一例としては、例えば、フレキシブルフラットケーブル（ＦＦＣ）やフレキシブル基板（ＦＰＣ）などを挙げることができる。
【００１７】
基板１０には、帯状の部材を用いる。帯状の部材の一例としては、厚み０．１ｍｍ、幅１５ｍｍ、長さ１１００ｍｍの部材などを挙げることができる。なお、図１（ａ）では、基板１０の幅が基板１０の長さ方向において異なっているように見えるが、これは、図１が斜視図であることによる。本発明の実施形態１において、基板１０の幅は基板１０の長さ方向において均等である。
【００１８】
基板１０は、接着材や両面テープなどを用いてベース３０に取り付けられている。
【００１９】
（ベース３０）
ベース３０には、可撓性を有する部材を用いる。可撓性を有する部材の一例としては、ＡＢＳ樹脂などの樹脂性の成形品や、抜き型で切断した金属品を挙げることができる。ベース３０の可撓性により、ベース３０の吊り下げ時において、ベース３０に取り付けられた複数の発光装置２０は互いに離間されることとなり、複数の発光装置２０の緩衝が抑制される（図１（ａ）参照）。
【００２０】
ベース３０には、表面と裏面とを有する帯状の部材を用いる。帯状の部材の一例としては、厚み１ｍｍ、幅２０ｍｍ、長さ１３００ｍｍの部材などを挙げることができる。なお、図１（ａ）では、ベース３０の幅Ｚがベース３０の長さ方向において異なっているように見えるが、これは、図１が斜視図であることによる。本発明の実施形態１において、ベース３０の幅Ｚはベース３０の長さ方向において均等である。
【００２１】
ベース３０は、例えば、その表面３０ａが螺旋の外側を向き、その裏面３０ｂが螺旋の内側を向くように配置したり、その表面３０ａが螺旋の上側を向き、その裏面３０ｂが螺旋の下側を向くように配置したり、などすることができる。ただし、図１に示したように、ベース３０をその表面３０ａが螺旋の外側を向き、その裏面３０ｂが螺旋の内側を向くように配置する場合には、照明装置を横方向に嵩張らせることなく小型化することができる。
【００２２】
基板１０は、例えば、ベース３０の表面３０ａや裏面３０ｂに取り付けられる。ただし、ベース３０の表面３０ａに取り付けられる場合は、ベース３０の裏面３０ｂに取り付けられる場合よりも照明装置の周囲を容易に照らすことができる。
【００２３】
ベース３０は、螺旋の内側に位置する長さ方向の一端３２または螺旋の外側に位置する長さ方向の他端３４を支点にして螺旋状に吊り下げられる。すなわち、ベース３０の長さ方向の一端３２及び他端３４は、螺旋の内側または外側にそれぞれ位置しているが、そのいずれかが吊り下げの支点とされる。
【００２４】
ただし、螺旋の半径は螺旋の外側にいくほど大きくなるため、ベース３０は、螺旋のより内側に位置する部分の方が螺旋のより外側に位置する部分よりもバネ定数が高くなって上下方向に伸び難いという性質を有している。他方、ベース３０自身の重量による重力は、上方に位置する支点により近い部分に対するものの方が下方に位置する支点により遠い部分に対するものよりも小さくなるため、ベース３０は、支点により近い部分の方が支点により遠い部分よりも上下方向に伸び易いという性質を有している。したがって、ベース３０が螺旋の内側に位置する長さ方向の一端３２を支点として吊り下げられる場合は、バネ定数の高低と重力の大小とが上下方向における伸び易さの違いを打ち消し合う方向に働くこととなり、ベース３０が螺旋の外側に位置する長さ方向の他端３４を支点として吊り下げられる場合よりも、複数の発光装置２０の上下方向における間隔Ｙの差が小さくなる。
【００２５】
ベース３０は、不使用時には螺旋状に巻き取られる。これにより、照明装置を不使用時にコンパクトに収納することができる。つまり、収納した場合の照明装置の厚みは、長さ方向にみたベース３０の幅Ｚとなり、非常に小さい厚みとすることができる。なお、ベース３０が螺旋の内側に位置する長さ方向の一端３２を支点にして螺旋状に吊り下げられる場合（図１（ａ）参照）は、螺旋の内側に位置する長さ方向の一端３２を内側にして巻き取られる（図１（ｂ）参照）。
【００２６】
以上説明したように、本発明の実施形態１によれば、可撓性を有する帯状の部材を用いたベース３０により、軽く、嵩張らず、様々な用途に使用可能な汎用性のある照明装置を提供することができる。したがって、本発明の実施形態１によれば、屋内はもちろんのこと、飲食店の軒先や道路における工事現場などの屋外でも手軽に照明装置を使用することが可能になる。
【００２７】
加えて、本発明の実施形態１によれば、照明装置を不使用時にはコンパクトに収納することができるため、より一層、屋内はもちろんのこと、飲食店の軒先や道路における工事現場などの屋外でも手軽に照明装置を使用することが可能になる。
【００２８】
加えて、本発明の実施形態１によれば、長さ方向に長い照明装置を構成することができるため、使用時には大きな発光領域を有するが、不使用時には螺旋状に巻き取られて嵩張らない照明装置を実現できるようになり、使用時のみ従来の照明装置よりも大型で広範囲を照らすことができる照明装置を提供することが可能になる。
【００２９】
［本発明の実施形態２に係る照明装置］
図２は、本発明の実施形態２に係る照明装置の模式的斜視図であり、（ａ）は使用時の状態を示し、（ｂ）は不使用時の状態を示している。
【００３０】
図２に示すように、本発明の実施形態２に係る照明装置は、ベース３０が、長さ方向に壁３６を有していている点で、このような壁３６を有していない本発明の実施形態１に係る照明装置と相違する。
【００３１】
本発明の実施形態２に係る照明装置によっても、本発明の実施形態１に係る照明装置と同様に、屋内はもちろんのこと、飲食店の軒先や道路における工事現場などの屋外でも手軽に照明装置を使用することが可能になる。また、使用時のみ従来の照明装置よりも大型で広範囲を照らすことができる照明装置を提供することが可能になる。
【００３２】
ベース３０のバネ定数は、螺旋の半径だけではなく、ベース３０の形状によっても決まる。したがって、長さ方向における壁３６の厚み及び／又は高さを様々に設計すれば、螺旋の内側と外側とにおけるバネ定数が異なる様々なベース３０を用いることができるようになり、吊り下げ時における上下方向の伸び易さが異なる様々なベース３０を用いて、複数の発光装置２０の上下方向における間隔Ｙが異なる様々な照明装置を提供することができる。
【００３３】
例えば、壁３６の厚み及び／又は高さが長さ方向において均等なベース３０を用いる場合は、複数の発光装置２０の上下方向における間隔Ｙが不均等であって上側と下側とで明るさが異なる照明装置を提供することができる。
【００３４】
他方、壁３６の厚み及び／又は高さが長さ方向の一端３２から他端３４に近くなるほど大きくなるベース３０を用いる場合は、複数の発光装置２０の上下方向における間隔Ｙが均等であって上側と下側とで明るさが等しい照明装置を提供することができる。
【００３５】
また、螺旋の内側に位置する長さ方向の一端３２を支点とする場合において、壁３６の厚み及び／又は高さが長さ方向の一端３２から他端３４に近くなるほど大きくなるベース３０を用いれば、複数の発光装置２０の上下方向における間隔Ｙが均等であって上側と下側とで明るさが等しい照明装置を提供することができる。
【００３６】
壁３６の高さは特に限定されない。ただし、壁３６の高さが発光装置２０の上面よりも高い場合は、ベース３０を不使用時に螺旋状に巻き取った際に、ベース３０に取り付けられた複数の発光装置２０が互いに離間されることとなり、複数の発光装置２０の緩衝が抑制される（図２（ｂ）参照）。
【００３７】
［本発明の実施形態３に係る照明装置］
図３は、本発明の実施形態３に係る照明装置の模式的斜視図であり、（ａ）は使用時の状態を示し、（ｂ）は不使用時の状態を示している。
【００３８】
図３に示すように、本発明の実施形態３に係る照明装置は、ベース３０が、長さ方向に複数の開口３８を有している点で、このような開口３８を有していない本発明の実施形態１に係る照明装置と相違する。
【００３９】
本発明の実施形態３に係る照明装置によっても、本発明の実施形態１に係る照明装置と同様に、屋内はもちろんのこと、飲食店の軒先や道路における工事現場などの屋外でも手軽に照明装置を使用することが可能になる。また、使用時のみ従来の照明装置よりも大型で広範囲を照らすことができる照明装置を提供することが可能になる。
【００４０】
本発明の実施形態３に係る照明装置によっても、本発明の実施形態２に係る照明装置と同様に、バネ定数が異なる様々なベース３０を用いて、複数の発光装置２０の上下方向における間隔Ｙが異なる様々な照明装置を提供することができる。
【００４１】
例えば、長さ方向における一端３２から他端３４に近くなるほど開口３８の数が少なくなる及び／又は開口３８の面積が小さくなるベース３０を用いる場合は、複数の発光装置２０の上下方向における間隔Ｙが均等であって上側と下側とで明るさが等しい照明装置を提供することができる。
【００４２】
また、螺旋の内側に位置する長さ方向の一端３２を支点とする場合において、長さ方向における一端３２から他端３４に近くなるほど開口３８の数が少なくなる及び／又は開口３８の面積が小さくなるベース３０を用いれば、複数の発光装置２０の上下方向における間隔Ｙが均等であって上側と下側とで明るさが等しい照明装置を提供することができる。
【００４３】
［本発明の実施形態４に係る照明装置］
図４は、本発明の実施形態４に係る照明装置の模式的斜視図であり、（ａ）は使用時の状態を示し、（ｂ）は不使用時の状態を示している。
【００４４】
図４に示すように、本発明の実施形態４に係る照明装置は、複数の発光装置２０がベース３０に直接取り付けられている点で、複数の発光装置２０が基板１０を用いてベース３０に取り付けられている本発明の実施形態１に係る照明装置と相違する。
【００４５】
本発明の実施形態４に係る照明装置によっても、本発明の実施形態１に係る照明装置と同様に、屋内はもちろんのこと、飲食店の軒先や道路における工事現場などの屋外でも手軽に照明装置を使用することが可能になる。また、使用時のみ従来の照明装置よりも大型で広範囲を照らすことができる照明装置を提供することが可能になる。
【００４６】
［本発明の実施形態５に係る照明装置］
図５は、本発明の実施形態５に係る照明装置の模式的斜視図であり、（ａ）は使用時の状態を示し、（ｂ）は不使用時の状態を示している。
【００４７】
図５に示すように、本発明の実施形態５に係る照明装置は、複数の発光装置２０がベース３０に直接取り付けられている点で、複数の発光装置２０が基板１０を用いてベース３０に取り付けられている本発明の実施形態２に係る照明装置と相違する。
【００４８】
本発明の実施形態５に係る照明装置によっても、本発明の実施形態２に係る照明装置と同様に、屋内はもちろんのこと、飲食店の軒先や道路における工事現場などの屋外でも手軽に照明装置を使用することが可能になる。また、使用時のみ従来の照明装置よりも大型で広範囲を照らすことができる照明装置を提供することが可能になる。
【００４９】
［本発明の実施形態６に係る照明装置］
図６は、本発明の実施形態６に係る照明装置の模式的斜視図であり、（ａ）は使用時の状態を示し、（ｂ）は不使用時の状態を示している。
【００５０】
図６に示すように、本発明の実施形態６に係る照明装置は、複数の発光装置２０がベース３０に直接取り付けられている点で、複数の発光装置２０が基板１０を用いてベース３０に取り付けられている本発明の実施形態３に係る照明装置と相違する。
【００５１】
本発明の実施形態６に係る照明装置によっても、本発明の実施形態３に係る照明装置と同様に、屋内はもちろんのこと、飲食店の軒先や道路における工事現場などの屋外でも手軽に照明装置を使用することが可能になる。また、使用時のみ従来の照明装置よりも大型で広範囲を照らすことができる照明装置を提供することが可能になる。
【００５２】
以上、本発明の実施形態１から６に係る照明装置について説明したが、これらの照明装置において、ベース３０の幅Ｚは、ベース３０の長さ方向において均等である（図１（ａ）、図２（ａ）、図３（ａ）、図４（ａ）、図５（ａ）、及び図６（ａ）においては、ベース３０の幅Ｚがベース３０の長さ方向において異なっているように見えるが、これは、各図が斜視図であることによる。本発明の実施形態１から６において、ベース３０の幅Ｚは、ベース３０の長さ方向において均等である。）。
【００５３】
しかしながら、ベース３０の幅Ｚは、ベース３０の長さ方向において異なっていてもよい。このようにすれば、ベース３０のバネ定数をコントロールして、複数の発光装置２０の上下方向における間隔Ｙが異なる様々な照明装置を提供することができる。
【００５４】
例えば、長さ方向における一端３２から他端３４に近くなるほど幅Ｚが狭くなるベース３０を用いる場合は、複数の発光装置２０の上下方向における間隔Ｙが均等であって上側と下側とで明るさが等しい照明装置を提供することができる。
【００５５】
また、螺旋の内側に位置する長さ方向の一端３２を支点とする場合において、長さ方向における一端３２から他端３４に近くなるほど幅Ｚが狭くなるベース３０を用いれば、複数の発光装置２０の上下方向における間隔Ｙが均等であって上側と下側とで明るさが等しい照明装置を提供することができる。
【００５６】
なお、吊り下げ時における複数の発光装置２０の上下方向における間隔Ｙは、複数の発光装置２０が基板１０に実装される間隔Ｘを調整することにより変えることもできるが、上記した壁３６、開口３８、及び／又は幅Ｚによれば、発光装置２０が基板１０に実装される間隔Ｘを変えることなく、吊り下げ時における複数の発光装置２０の上下方向における間隔Ｙが異なる様々な照明装置を提供することができる。
【実施例１】
【００５７】
図７は、本発明の実施例１に係る提灯を示す模式的正面図であり、（ａ）は使用時の状態を示し、（ｂ）は不使用時の状態を示している。本発明の実施例１に係る提灯は、本発明の実施形態１から６に係る照明装置の一使用例である。
【００５８】
図７に示すとおり、本発明の実施例１に係る提灯は、本発明の実施形態１から６に係る照明装置のいずれか１つ（以下、本発明の実施例１に係る提灯の説明において、単に、「本発明の実施形態に係る照明装置」という。）と、これの周囲を囲む光拡散部材４０と、を備えている。ただし、本発明の実施形態に係る照明装置は、光拡散部材４０内に収容されているため、図７（ａ）（ｂ）上に現れていない。
【００５９】
光拡散部材４０によれば、本発明の実施形態に係る照明装置から出された光を拡散でき、輝度むらを低減することができる。光拡散部材４０としては、例えば和紙などが挙げられ、少なくとも上下方向に伸縮可能なものが用いられる。
【００６０】
本発明の実施例１に係る提灯は、図７（ａ）に示すように、使用時には長さ方向の一端を支点にして螺旋状に吊り下げられ、図７（ｂ）に示すように、不使用時には折り畳まれる（この際、本発明の実施形態１から６に係る照明装置のベース３０が螺旋状に巻き取られる）。したがって、本発明の実施例１に係る提灯は、使用しないときにはコンパクトに収納することができる。また少なくとも上端か下端に電源供給装置（バッテリー）を配置することで、持ち運び点灯が可能にもなる。
【００６１】
以上、本発明の実施形態及び実施例について説明したが、これらの説明は、本発明の一例に関するものであり、本発明は、これらの説明によって何ら限定されるものではない。
【符号の説明】
【００６２】
１０    基板
２０    発光装置
３０    ベース
３０ａ  ベースの表面
３０ｂ  ベースの裏面
３２    一端
３４    他端
３６    壁
３８    開口
４０    光拡散部材
Ｘ      間隔
Ｙ      間隔
Ｚ      幅
【図１】
2015069947.tif 000003
【図２】
2015069947.tif 000004
【図３】
2015069947.tif 000005
【図４】
2015069947.tif 000006
【図５】
2015069947.tif 000007
【図６】
2015069947.tif 000008
【図７】
2015069947.tif 000009